(57)【特許請求の範囲】
【請求項１】
基部と、前記基部の１の辺を第１の折り線とし、前記第１の折り線から前記基部の外側方向に連設され、前記第１の折り線を介して前記基部の内側に折りたたまれる第１の被覆フラップと、
前記基部の前記１の辺と対向する辺を第２の折り線とし、前記第２の折り線から前記基部の外側方向に連設され、前記第２の折り線を介して前記基部の内側に折りたたまれる第２の被覆フラップと、
前記第１の被覆フラップに設けられた挿入穴と、前記第２の被覆フラップに設けられた挿入穴に被梱包体が挿入されることによって、前記被梱包体を包み込んで収納する梱包材であって、
前記第１の被覆フラップには、
前記第１の被覆フラップの先端部を前記基部の内側方向へ折りたたみ、前記被梱包体の脱落を防止する脱落防止部を形成するための第３の折り線と、
前記脱落防止部を前記基部の内側方向へ折りたたむための第４の折り線と、
前記第２のフラップには、
前記第２の被覆フラップの先端部を前記基部の内側方向へ折りたたみ、前記被梱包体の脱落を防止する脱落防止部を形成するための第５の折り線と、
前記脱落防止部を前記基部の内側方向へ折りたたむための第６の折り線と、
を備えることを特徴とする梱包材。
【請求項２】
請求項１に記載の梱包材であって、
前記基部の前記１の辺及び前記基部の前記１の辺と対向する辺以外の第３の辺を第７の折り線とし、前記第７の折り線から前記基部の外側方向に連設され、前記第７の折り線を介して前記基部の内側方向に折りたたまれる第３の被覆フラップと、
前記第３の辺と対向する辺を第８の折り線とし、前記第８の折り線から前記基部の外側方向に連設され、前記第８の折り線を介して前記基部の内側方向に折りたたまれる第４の被覆フラップと、を備え、
前記第４の被覆フラップの先端部に設けられた挿入部が、前記第３の被覆フラップに設けられた差込穴に挿入されることによって、前記被梱包体を包み込んで収納することを特徴とする梱包材。
【請求項３】
基部と、前記基部の１の辺を第１の折り線とし、前記第１の折り線から前記基部の外側方向に連設され、前記第１の折り線を介して前記基部の内側方向に折りたたまれる第１の被覆フラップと、
前記基部の前記１の辺及び前記基部の前記１の辺と対向する辺以外の第３の辺を第７の折り線とし、前記第７の折り線から前記基部の外側方向に連設され、前記第７の折り線を介して前記基部の内側方向に折りたたまれる第３の被覆フラップと、
前記第３の辺と対向する辺を第８の折り線とし、前記第８の折り線から前記基部の外側方向に形成され、前記第８の折り線を介して前記基部の内側方向に折りたたまれる第４の被覆フラップと、を備え、
前記第１のフラップは、さらに、
前記第１の被覆フラップの先端部を前記基部の内側方向へ折りたたみ、前記被梱包体の脱落を防止する脱落防止部を形成するための第３の折り線と、
前記脱落防止部を前記基部の内側方向へ折りたたむための第４の折り線と、
を備え、
前記第１の被覆フラップに設けられた挿入穴に被梱包体が挿入され、前記第４の被覆フラップの先端部に設けられた挿入部が、前記第３の被覆フラップに設けられた差込穴に挿入されることによって、前記被梱包体を包み込んで収納することを特徴とする梱包材。
【請求項４】
請求項１乃至３の何れか１項に記載の梱包材であって、
前記第１の被覆フラップ又は前記第２の被覆フラップの少なくとも何れか一方の先端部には、凹形状に切りかかれた切り欠き部が形成されることを特徴とする梱包材。
【請求項５】
請求項１乃至４の何れか１項に記載の梱包材であって、
前記第１の被覆フラップに設けられる挿入穴は、前記第４の折り線を分断する位置に設けられ、
前記第２の被覆フラップに設けられる挿入穴は、前記第６の折り線を分断する位置に設けられることを特徴とする梱包材。
【請求項６】
請求項１乃至５の何れか１項に記載の梱包材であって、
前記梱包材は、板状の部材によって形成されることを特徴とする梱包材。
【発明の詳細な説明】
【技術分野】
【０００１】
本発明は、簡便な構成で被梱包体の信頼性を維持することができる梱包材等の技術分野に関する。
【背景技術】
【０００２】
現在、ＳＤカード（登録商標）、ＭｉｃｒｏＳＤカード（登録商標）等の可搬型記憶媒体の大容量化及び低価格化により、可搬型記憶媒体は様々な用途で利用されるべく、一般市場に流通している。この可搬型記憶媒体が流通段階におかれる際には、当該可搬型記憶媒体を外部からの衝撃から保護し、正常な動作を確保する等の信頼性を維持するために、梱包材によって梱包されている。
【０００３】
特許文献１では、弾性を有する合成樹脂により構成され、半導体メモリカードの収納時に係合部が弾性変形することにより嵌合保持する半導体メモリカードの収納ケースに関する発明が開示されている。
【０００４】
特許文献２では、ポリ塩化ビニル樹脂により形成された電子記録媒体が抜け出るのを防止する搬送袋に関する発明が開示されている。
【先行技術文献】
【特許文献】
【０００５】
【特許文献１】特開２００１−１０１３６０号公報
【特許文献２】特開２００２−２０５７４５号公報
【発明の概要】
【発明が解決しようとする課題】
【０００６】
しかしながら、特許文献１に開示される収納ケースは、合成樹脂により構成されているため、専用の金型を製作し当該収納ケースを製造しなければならず、金型製作費用等の多大なコストや加工費がかかってしまう。また、特許文献２に開示される搬送袋は、ポリ塩化ビニル樹脂で形成されているため、可搬型記憶媒体を外部からの衝撃から十分に保護することができず、かかる可搬型記憶媒体の信頼性を維持することができない。
【０００７】
そこで、本発明は上記各問題点に鑑みてなされたものであり、その目的の一例は、簡便な構成で被梱包体の信頼性を維持することができる梱包材を提供することである。
【課題を解決するための手段】
【０００８】
上記課題を解決するために、請求項１に記載の発明は、基部と、前記基部の１の辺を第１の折り線とし、前記第１の折り線から前記基部の外側方向に連設され、前記第１の折り線を介して前記基部の内側方向に折りたたまれる第１の被覆フラップと、前記基部の前記１の辺と対向する辺を第２の折り線とし、前記第２の折り線から前記基部の外側方向に連設され、前記第２の折り線を介して前記基部の内側方向に折りたたまれる第２の被覆フラップと、前記第１の被覆フラップに設けられた挿入穴と、前記第２の被覆フラップに設けられた挿入穴に被梱包体が挿入されることによって、前記被梱包体を包み込んで収納する梱包材であって、前記第１の被覆フラップには、前記第１の被覆フラップの先端部を前記基部の内側方向へ折りたたみ、前記被梱包体の脱落を防止する脱落防止部を形成するための第３の折り線と、前記脱落防止部を前記基部の内側方向へ折りたたむための第４の折り線と、前記第２のフラップには、前記第２の被覆フラップの先端部を前記基部の内側方向へ折りたたみ、前記被梱包体の脱落を防止する脱落防止部を形成するための第５の折り線と、前記脱落防止部を前記基部の内側方向へ折りたたむための第６の折り線と、を備えることを特徴とする。
【０００９】
従って、この梱包材によれば、簡便な構成で被梱包体の信頼性を維持することができる。
【００１０】
請求項２に記載の発明は、請求項１に記載の梱包材であって、前記基部の前記１の辺及び前記基部の前記１の辺と対向する辺以外の第３の辺を第７の折り線とし、前記第７の折り線から前記基部の外側方向に連設され、前記第７の折り線を介して前記基部の内側方向に折りたたまれる第３の被覆フラップと、前記第３の辺と対向する辺を第８の折り線とし、前記第８の折り線から前記基部の外側方向に連設され、前記第８の折り線を介して前記基部の内側方向に折りたたまれる第４の被覆フラップと、を備え、前記第４の被覆フラップの先端部に設けられた挿入部が、前記第３の被覆フラップに設けられた差込穴に挿入されることによって、前記被梱包体を包み込んで収納することを特徴とする。
【００１１】
従って、この梱包材によれば、簡便な構成で、被梱包体の信頼性をさらに維持することができる。
【００１２】
請求項３に記載の発明は、基部と、前記基部の１の辺を第１の折り線とし、前記第１の折り線から前記基部の外側方向に連設され、前記第１の折り線を介して前記基部の内側方向に折りたたまれる第１の被覆フラップと、前記基部の前記１の辺及び前記基部の前記１の辺と対向する辺以外の第３の辺を第７の折り線とし、前記第７の折り線から前記基部の外側方向に連設され、前記第７の折り線を介して前記基部の内側方向に折りたたまれる第３の被覆フラップと、前記第３の辺と対向する辺を第８の折り線とし、前記第８の折り線から前記基部の外側方向に形成され、前記第８の折り線を介して前記基部の内側方向に折りたたまれる第４の被覆フラップと、を備え、前記第１のフラップは、さらに、前記第１の被覆フラップの先端部を前記基部の内側方向へ折りたたみ、前記被梱包体の脱落を防止する脱落防止部を形成するための第３の折り線と、前記脱落防止部を前記基部の内側方向へ折りたたむための第４の折り線と、を備え、前記第１の被覆フラップに設けられた挿入穴に被梱包体が挿入され、前記第４の被覆フラップの先端部に設けられた挿入部が、前記第３の被覆フラップに設けられた差込穴に挿入されることによって、前記被梱包体を包み込んで収納することを特徴とする梱包材。
【００１３】
従って、この発明によれば、さらに簡便な構成で、被梱包体の信頼性を維持することができる。
【００１４】
請求項４に記載の発明は、請求項１乃至３の何れか１項に記載の梱包材であって、前記第１の被覆フラップ又は前記第２の被覆フラップの少なくとも何れか一方の先端部には、凹形状に切りかかれた切り欠き部が形成されることを特徴とする。
【００１５】
従って、容易に梱包材を組み立てることができ、さらに、被梱包体を容易に梱包材に挿入することができ、作業時間の効率化を図ることが可能となる。
【００１６】
請求項５に記載の発明は、請求項１乃至４の何れか１項に記載の梱包材であって、前記第１の被覆フラップに設けられる挿入穴は、前記第４の折り線を分断する位置に設けられ、前記第２の被覆フラップに設けられる挿入穴は、前記第６の折り線を分断する位置に設けられることを特徴とする。
【００１７】
従って、被梱包体を極めて容易に梱包材へ挿入することができ、作業時間の効率化を図ることが可能となる。
【００１８】
請求項６に記載の発明は、請求項１乃至５の何れか１項に記載の梱包材であって、前記梱包材は、板状の部材によって形成されることを特徴とする。
【００１９】
従って、梱包材の製造コストを抑えつつ、一の板状の部材という極めて簡便な構成で被梱包材の信頼性を維持することができる。
【発明の効果】
【００２０】
以上のように、本発明における梱包材によれば、被梱包体を折りたたんで梱包するため、簡便な構成で被梱包体の信頼性を維持することができる。
【図面の簡単な説明】
【００２１】
【図１】本実施形態に係る梱包材１に被梱包体が挿入される状態を示す図である。
【図２】本実施形態に係る梱包材１に被梱包体が挿入された状態を示す図である。
【図３】本実施形態に係る梱包材１に被梱包体が収納された状態を示す図である。
【図４】本実施形態に係る梱包材１の展開時の形状を示す展開図である。
【図５】本実施形態に係る梱包材１の完成時に至るまでの形状を段階的に示す組立図である。
【図６】本実施形態に係る梱包材１の完成時に至るまでの形状を段階的に示す組立図である。
【図７】本実施形態に係る梱包材１の完成時に至るまでの形状を段階的に示す組立図である。
【図８】本実施形態に係る梱包材１の完成時に至るまでの形状を段階的に示す組立図である。
【図９】本実施形態に係る梱包材１の完成時に至るまでの形状を段階的に示す組立図である。
【図１０】本実施形態に係る梱包材１の完成時に至るまでの形状を段階的に示す組立図である。
【図１１】本実施形態に係る梱包材１の完成時に至るまでの形状を段階的に示す組立図である。
【図１２】本実施形態に係る梱包材１の完成時に至るまでの形状を段階的に示す組立図である。
【図１３】ＭｉｃｒｏＳＤカード１００が収納された状態を示す概念図である。
【図１４】第１の被覆フラップ３及び第２の被覆フラップ６のみを形成するように構成した梱包材３０の使用状態を示す図である。
【図１５】第１の被覆フラップ３及び第２の被覆フラップ６のみを形成するように構成した梱包材３０の展開時の形状を示す展開図である。
【図１６】第１の被覆フラップ３を備えた梱包材４０を示す図である。
【図１７】第１の被覆フラップ３を備えた梱包材４０の展開時の形状を示す展開図である。
【図１８】８角形の外形が形成された基部２７が適用された梱包材５０を示す図である。
【図１９】８角形の外形が形成された基部２７が適用された梱包材５０の展開時の形状を示す展開図である。
【図２０】８角形の外形が形成された基部２８が適用された梱包材６０の展開時の形状を示す展開図である。
【発明を実施するための形態】
【００２２】
以下に、本願の最良の実施形態を添付図面に基づいて説明する。
まず、図１〜図３を用いて、本実施形態に係る梱包材１の使用状態について説明する。
図１は被梱包体が挿入される状態を示す図であり、図２は本実施形態に係る梱包材１に被梱包体が挿入された状態を示す図であり、図３は本実施形態に係る梱包材１に被梱包体が収納された状態を示す図である。
【００２３】
図１に示すように、梱包材１は、被梱包体の一例としてＭｉｃｒｏＳＤカード１００を包みこんで収納する。ＭｉｃｒｏＳＤカード１００は、図１の矢印方向に従って詳しくは後述する挿入穴４に挿入された後（図１参照）、図２の矢印方向に従って詳しくは後述する挿入穴７へ挿入され、脱落防止部２０及び脱落防止部２１によって保持される（図２参照）。そして、第３の被覆フラップ９及び第４の被覆フラップ１１によって包み込んで収納されるようになっている（図３参照）。なお、以下の説明の便宜上、ＭｉｃｒｏＳＤカード１００の横幅をＹ、縦幅をＺと定義する。また、上記矢印の方向を、ＭｉｃｒｏＳＤカード１００の挿入方向と定義する。
【００２４】
次に、本実施形態に係る梱包材の詳細について、図４と図５〜図１２を対比して説明する。なお、各図面において同一の部材番号を示す部材は、他の図面における同一の部材番号を示す部材と、少なくとも同一の構成、作用及び効果を奏するものとする。
【００２５】
図４は、本実施形態に係る梱包材１の展開時の形状を示す展開図であり、図５〜図１２は、本実施形態に係る梱包材１の完成時に至るまでの形状を段階的に示す組立図である。
【００２６】
ここで、説明の便宜上、座標軸２００を定義する。座標軸２００において、紙面の縦方向をＹ軸、紙面の横方向をＸ軸とする。また、梱包材１の中心を通るＸ軸方向の軸をＸ１と、基部２の中心を通りＸ１と直交する軸をＹ１とそれぞれ定義する。また、Ｘ軸において、梱包材１の中心に向かう方向を内側方向Ｘ２（本願の「内側」の一例）と、梱包材１の中心から背離する方向を外側方向Ｘ３と、それぞれ定義する。さらに、Ｙ軸において、梱包材１の中心に向かう方向を内側方向Ｙ２（本願の「内側」の一例）と、梱包材１の中心から背離する方向を外側方向Ｙ３と、それぞれ定義する。
【００２７】
図４に示すように、梱包材１は、紙、上質紙、ボール紙やＰＥＴ材等の薄型樹脂製板材等の折り曲げ自在の板状の部材（本願の板状の部材の一例）を素材とし、略矩形の基部２（本願の基部の一例）の１の辺（本願の基部の１の辺の一例）を第１の折り線２ａ（本願の第１の折り線の一例）とし、この第１の折り線２ａに第１の被覆フラップ３（本願の第１の被覆フラップの一例）が外側方向Ｘ３に連設されている。
【００２８】
また、第１の折り線２ａに対向する辺（本願の前記基部の前記１の辺と対向する辺の一例）を第２の折り線２ｂ（本願の第２の折り線の一例）とし、この第２の折り線２ｂに第２の被覆フラップ６（本願の第２の被覆フラップの一例）が外側方向Ｘ３に連設されている。
【００２９】
また、第１の折り線２ａ、及び第２の折り線２ｂ以外の辺（本願の第３の辺の一例）を第７の折り線２ｃ（本願の第７の折り線の一例）とし、この第７の折り線２ｃに第３の被覆フラップ９（本願の第３の被覆フラップの一例）が外側方向Ｙ３に連設されている。
【００３０】
また、第７の折り線２ｃと対向する辺（本願の第３の辺と対向する辺の一例）を第８の折り線２ｄ（本願の第８の折り線の一例）とし、この第８の折り線２ｄに第４の被覆フラップ１１（本願の第４の被覆フラップの一例）が外側方向Ｙ３に連設されている。
【００３１】
梱包材１は、上述した板状の部材を、この梱包材１と略同じ形の金型（例えば、所謂ビク型等）により打ち抜いて形成される。打ち抜かれる際に、図４における実線部分の切断が行われる。
【００３２】
なお、このような板状の部材を形成する金型は、合成樹脂により構成される製品を形成する金型のようにキャビティ型及びコア型から構成される所謂二枚構造ではなく、また、イジェクタピン等の機構を備える必要がないため、低価格で製作することができる。
【００３３】
さらに、このような板状の部材を形成する金型は、合成樹脂により構成される製品を形成する金型のようにキャビティ型及びコア型が可動する駆動機構を備える必要がないため、低価格で製作することができる。
【００３４】
第１の折り線２ａは、第１の被覆フラップ３を基部２の内側方向Ｘ２に折りたたむことを示す標識（目印）であり、例えば、筋付け（筋押し、又は筋入れ）、印刷による線の表示、ミシン目、連続するパンチ穴の集合、又はハーフカット等により形成されている。この第１の折り線２ａによって、作業者は、第１の被覆フラップ３等を所望の位置に容易に折り曲げることができる。本実施形態に係る折り線（例えば、後述する第２の折り線２ｂ等）は、特に示す場合を除き、図面中において点線で示し、上述した特性を有する折り線を適用する。
【００３５】
第１の被覆フラップ３内には、第３の折り線３ａ（本願の第３の折り線の一例）、第４の折り線３ｂ（本願の第４の折り線の一例）及び挿入穴４が形成されており、この被覆フラップ３の先端部１３（外側方向Ｘ３）には、基部２の内側方向Ｘ２に凹形状に切りかかれた切り欠き部５（本願の切り欠き部の一例）が形成されている。
【００３６】
第１の被覆フラップ３は、第３の折り線３ａ及び第４の折り線３ｂを介して順次折りたたまれ、梱包材１として製造されるようになっている。
【００３７】
具体的には、図５〜図７に示すように、まず、第１の被覆フラップ３の先端部１３が、第３の折り線３ａを介して基部２の内側方向Ｘ２に折りたたまれる（図５参照）。
【００３８】
こうして第３の折り線３ａを介して基部２の内側方向Ｘ２に折りたたまれた第１の被覆フラップ３の先端部１３と第１の被覆フラップ３等は、脱落防止部２０を形成する。
【００３９】
この脱落防止部２０の機能について、図１３を用いて説明する。
【００４０】
図１３は、ＭｉｃｒｏＳＤカード１００が収納された状態を示す概念図であり、図１３（Ａ）はＭｉｃｒｏＳＤカード１００が収納された状態を示す透視図であり、図１３（Ｂ）は図１３（Ｂ）は、ＭｉｃｒｏＳＤカード１００が収納された梱包材１をＰ平面で切断し、矢視Ｐ´方向から見た場合の断面図である。
【００４１】
図１３（Ａ）及び（Ｂ）に示すように、ＭｉｃｒｏＳＤカード１００は、第３の折り線３ａを介して折り曲げられた第１の被覆フラップ３の先端部１３と、第３の折り線３ａと、第１の被覆フラップ３の第３の折り線３ａと第４の折り線３ｂに囲まれた部分１４によって把持され、梱包材１の内部（例えば、図１３（Ｂ）の矢印方向）へ脱落することなく収納される。
【００４２】
すなわち、第１の被覆フラップ３の先端部１３と、第１の被覆フラップ３の第３の折り線３ａ及び第４の折り線３ｂに囲まれた部分１４は、第３の折り線３ａを介して連設されているため、ＭｉｃｒｏＳＤカード１００が、梱包材１の内部へ脱落することなく収納される。
【００４３】
本実施形態においては、第３の折り線３ａを介して折り曲げられた第１の被覆フラップ３の先端部１３と、第３の折り線３ａと、第１の被覆フラップ３の第３の折り線３ａと第４の折り線３ｂに囲まれた部分１４を、上述したその機能に鑑み脱落防止部２０と定義する。
【００４４】
また、ＭｉｃｒｏＳＤカード１００は、第５の折り線６ａを介して基部２の内側方向Ｘ２に折りたたまれた第２の被覆フラップ６の先端部１５と、第５の折り線６ａと、第２の被覆フラップ６の第５の折り線６ａと第６の折り線６ｂに囲まれた部分１６によって把持され、梱包材１の内部（例えば、図１３（Ｂ）の矢印方向）へ脱落することなく収納される。
【００４５】
すなわち、第２の被覆フラップ６の先端部１５と、第２の被覆フラップ６の第５の折り線６ａと第６の折り線６ｂに囲まれた部分１６は、第５の折り線６ａを介して連設されているため、ＭｉｃｒｏＳＤカード１００が、梱包材１の内部へ脱落することなく収納される。
【００４６】
本実施形態においては、第５の折り線６ａを介して基部２の内側方向Ｘ２に折りたたまれた第２の被覆フラップ６の先端部１５と、第５の折り線６ａと、第２の被覆フラップ６の第５の折り線６ａと第６の折り線６ｂに囲まれた部分１６を、上述したその機能に鑑み脱落防止部２１と定義する。
【００４７】
図４の説明に戻り、折りたたまれた第１の被覆フラップ３の先端部は、第４の折り線３ｂを介して、さらに基部２の内側方向Ｘ２に折りたたまれる（図６参照）。さらに、この折りたたまれた第１の被覆フラップ３の先端部１３が、第１の折り線２ａを介して基部２の内側方向Ｘ２に折りたたまれる（図７参照）。
【００４８】
挿入穴４は、ＭｉｃｒｏＳＤカード１００が挿入される略矩形の穴であり、梱包材１を貫通するように穿孔される。従って、挿入穴４の横幅４ａ（Ｙ１方向の幅）は、ＭｉｃｒｏＳＤカード１００の横幅Ｙ（図１参照）と略同じ大きさか、それ以上の大きさとなっている。
【００４９】
この挿入穴４は、第１の被覆フラップ３に設けられるものであるが、本実施形態における挿入穴４は、第４の折り線３ｂを分断する位置に設けられる。
【００５０】
このような位置に設けられた挿入穴４によって、梱包材１には、第４の折り線３ｂの端部（挿入穴４と第４の折り線３ｂの接続部分）が形成される。
【００５１】
そして、ＭｉｃｒｏＳＤカード１００が収納される際に、ユーザは、ＭｉｃｒｏＳＤカード１００を、上記端部と当接させながら挿入穴４に挿入させることができ、容易にＭｉｃｒｏＳＤカード１００を挿入穴４へ挿入することができる。即ち、上記位置に挿入穴４を設けることによって、上記端部がＭｉｃｒｏＳＤカード１００を挿入するための呼び込み（ガイド）の機能を奏することとなる。
【００５２】
切り欠き部５は、第１の被覆フラップ３の先端部１３に、凹形状に切りかかれた切り欠き部である。
【００５３】
上述したように第１の被覆フラップ３の先端部１３は、第３の折り線３ａを介して基部２の内側方向Ｘ２へ折り込まれることにより脱落防止部２０を形成するが、この切り欠き部５は、第１の被覆フラップ３の先端部１３が折り込まれた際に、挿入穴４から第１の被覆フラップ３の先端部１３が露出しないような形状に形成されている。
【００５４】
そして、切り欠き部５によって、第１の被覆フラップ３の先端部１３には、凸部５ａ及び５ｂが形成される（図２のハッチング部分参照）。
【００５５】
この凸部５ａ及び５ｂは、梱包材１を製造する際に、作業者の作業容易性に鑑みて形成されたものである。即ち、凸部５ａ及び５ｂは、作業者が第１の被覆フラップ３の先端部１３を、指や工具等でつまめる程度の面積が確保されている。従って、作業者は、迅速かつ容易に第１の被覆フラップ３を内側へ折りたたむことができる。
【００５６】
第２の被覆フラップ６内には、第５の折り線６ａ（本願の第５の折り線の一例）、第６の折り線６ｂ（本願の第６の折り線の一例）及び挿入穴７が形成されており、第２の被覆フラップ６の先端部１５（外側方向Ｘ３）には、基部２の内側方向Ｘ２へ、凹形状に切りかかれた切り欠き部８（本願の切り欠き部の一例）が形成されている。
【００５７】
なお、第２の被覆フラップ６は、Ｙ１を基準に、第１の被覆フラップ３と対象形状を示している。そして、第５の折り線６ａは第３の折り線３ａと、第６の折り線６ｂは第４の折り線３ｂと、挿入穴７は挿入穴４と、切り欠き部８は切り欠き部５と、それぞれ同様の構成、作用及び効果を有するものである。
【００５８】
以下、上述した構成、作用及び効果と重複する部分については説明を省略する。
【００５９】
図４の説明に戻り、第２の被覆フラップ６は、第５の折り線６ａ及び第６の折り線６ｂを介して順次折りたたまれ、梱包材１として製造されるようになっている。
【００６０】
具体的には、図８〜１０に示すように、まず、第２の被覆フラップ６の先端部１５が、第５の折り線６ａを介して基部２の内側方向Ｘ２に折りたたまれる（図８）。
【００６１】
こうして第５の折り線６ａを介して基部２の内側方向Ｘ２に折りたたまれた第２の被覆フラップ６の先端部１５と、第５の折り線６ａと、第２の被覆フラップ６の第５の折り線６ａと第６の折り線６ｂに囲まれた部分１６は、は上述した脱落防止部２１を形成する。
【００６２】
この脱落防止部２１の構成、機能及び効果は、脱落防止部２０と同様であるため、詳しい説明は省略する。
【００６３】
図４の説明に戻り、折りたたまれた第２の被覆フラップ６の先端部は、第６の折り線６ｂを介して、さらに基部２の内側方向Ｘ２に折りたたまれる（図９参照）。
【００６４】
挿入穴７は、挿入穴４と同様の構成、機能及び効果を有するため詳しい説明は省略するが、ＭｉｃｒｏＳＤカード１００が挿入される略矩形の穴であり、梱包材１を貫通するように穿孔される。従って、挿入穴７の横幅７ａ（Ｙ１方向の幅）は、ＭｉｃｒｏＳＤカード１００の横幅Ｙ（図１参照）と略同じ大きさか、それ以上の大きさとなっている。この挿入穴７は、第２の被覆フラップ６に設けられるものであるが、本実施形態における挿入穴７は、第６の折り線６ｂを分断する位置に設けられる。
【００６５】
上述したように、ＭｉｃｒｏＳＤカード１００は、挿入穴４及び７に挿入され、脱落防止部２０及び２１によって、梱包材１の内部へ脱落することなく収納されるようになっている。この脱落防止部２０及び２１は、上述した機能を担保するため、被梱包体の大きさに応じて挿入穴４の横幅４ａ、挿入穴７の横幅７ａ及び長さＲを任意に設定する必要がある。
【００６６】
具体的には、被梱包体の大きさが大きい場合には、挿入穴４の横幅４ａ及び挿入穴７の横幅７ａを大きく、また、長さＲの長さを大きく設定する必要がある。
【００６７】
切り欠き部８は、切り欠き部５と同様の構成、機能及び効果を有するため詳しい説明は省略するが、第２の被覆フラップ６の先端部に、凹形状に切りかかれた切り欠き部である。
【００６８】
そして、切り欠き部８は、切り欠き部５と同様に、第２の被覆フラップ６の先端部１５が折り込まれた際に、挿入穴７から第２の被覆フラップ６の先端部１５が露出しないような形状に形成されている。
【００６９】
加えて、切り欠き部８によって、第２の被覆フラップ６の先端部には、凹部８ａ及び８ｂが形成される（図２のハッチング部分参照）。この凹部８ａ及び８ｂは、凹部５ａ及び５ｂと同様の構成、機能及び効果を有するため詳しい説明は省略する。
【００７０】
第３の被覆フラップ９内には、差込穴１０が形成されている。
【００７１】
そして、図１１に示すように、第３の被服フラップ９は、第７の折り線２ｃを介して基部２の内側方向Ｙ２に折りたたまれ、梱包材１として製造されるようになっている。
【００７２】
第４の被覆フラップ１１の先端部には、挿入部１２（本願の挿入部の一例）が形成されている。
【００７３】
図１２に示すように、挿入部１２は、第３の被覆フラップ９が基部２の内側方向Ｙ２へ折りたたまれ、差込穴１０に挿入されることにより、ＭｉｃｒｏＳＤカード１００を包み込んで収納されるようになっている。
【００７４】
こうして折りたたまれた各被覆フラップには、梱包材１の外部へ復元しようとする力が働く（所謂クッション効果）。従って、梱包材１に外部から衝撃（外力）が加えられた場合には、収納されたＭｉｃｒｏＳＤカード１００は、かかるクッション効果によって、外部からの衝撃から十分に保護されるようになっている。
【００７５】
なお、以上説明した実施形態は特許請求の範囲にかかる発明を限定するものではない。そして、上記実施形態の中で説明されている構成の組み合わせ全てが発明の課題解決に必須の手段であるとは限らない。
【００７６】
具体的には、例えば、梱包材１においては、切り欠き部５及び８を形成しなくてもよい。
【００７７】
また、本実施形態における梱包材１は、被梱包体の一例としてＭｉｃｒｏＳＤカード１００を適用したが、挿入穴４の横幅４ａ、挿入穴７の横幅７ａ及び長さＲ（図１３（Ｂ）参照）を、被梱包体の大きさに合わせて適宜変更することにより、例えばＳＤカード、スマートメディア（登録商標）等の可搬型記憶媒体のほか、ＤＶＤディスク等の記憶媒体にも適用することが可能である。
【００７８】
また、上述したように梱包材１は、金型により打ち抜いて製作されるため、梱包材１の外延部（端面）には、バリ面（返り面）とダレ面が生じる。このバリ面は、外観上審美性を損なったり、梱包材１を開梱するユーザの手に引っかかる等、作業性の低下を招いてしまう。
【００７９】
そこで、このバリ面を基部２の内側方向Ｘ２に折りたたみ、外観部に露出しないように、梱包材１を基部２の内側方向Ｘ２に折り込む面に標識（例えば、印刷等の目印）を付すようにしてもよい。
【００８０】
また、本実施形態においては、梱包材１は、第３の被覆フラップ９及び第４の被覆フラップ１１をそれぞれ形成するように構成したが、第３の被覆フラップ９及び第４の被覆フラップ１１を形成しないように構成してもよい。即ち、第１の被覆フラップ３及び第２の被覆フラップ６のみを形成するように構成してもよい。
【００８１】
ここで、第１の被覆フラップ３及び第２の被覆フラップ６のみを形成するように構成した梱包材３０について、図１４及び図１５を用いて説明する。
【００８２】
図１４は第１の被覆フラップ３及び第２の被覆フラップ６のみを形成するように構成した梱包材３０を示す図であり、図１５は第１の被覆フラップ３及び第２の被覆フラップ６のみを形成するように構成した梱包材３０の展開時の形状を示す展開図である。なお、各図面において同一の部材番号を示す部材は、他の図面における同一の部材番号を示す部材と、少なくとも同一の構成、作用及び効果を奏するものとする。
【００８３】
図１４及び図１５に示すように、基部２５には、第１の被覆フラップ３と第２の被覆フラップ６が連設されているが、図４等に示す基部２と異なり、第３の被覆フラップ９と第４の被覆フラップ１１は連接されていない。
【００８４】
このような構成の梱包材３０は、ＭｉｃｒｏＳＤカード１００を梱包材３０の内部へ脱落することなく収納することができる。
【００８５】
従って、梱包材３０は、例えば、ＭｉｃｒｏＳＤカード１００を外部の衝撃や振動から守る緩衝材等として用いることができる。
【００８６】
また、本実施形態においては、第１の被服フラップ３及び第２の被覆フラップ６をそれぞれ形成するように構成したが、第１の被覆フラップ３又は第２の被覆フラップ６の何れか一方を備えるように構成してもよい。
【００８７】
ここで、第１の被覆フラップ３又は第２の被覆フラップ６の何れか一方を備えた梱包材３０について図１６及び図１７を用いて説明する。
【００８８】
図１６は第１の被覆フラップ３を備えた梱包材４０を示す図であり、図１７は第１の被覆フラップ３を備えた梱包材４０の展開時の形状を示す展開図である。なお、各図面において同一の部材番号を示す部材は、他の図面における同一の部材番号を示す部材と、少なくとも同一の構成、作用及び効果を奏するものとする。
【００８９】
図１６及び図１７に示すように、梱包材４０では、図４に示す梱包材１と異なり、基部２６に第２の被覆フラップ６が連設されていない。
【００９０】
このような構成の梱包材４０においても、上述した梱包材１等と同様に、ＭｉｃｒｏＳＤカード１００は、挿入穴４に挿入され、脱落防止部２０によって保持される。そして、ＭｉｃｒｏＳＤカード１００は、第３の被覆フラップ９及び第４の被覆フラップ１１によって包み込んで収納されるため、上述した梱包材１と同様に、簡便な構成でＭｉｃｒｏＳＤカード１００の信頼性を維持することができる。
【００９１】
また、上述した本実施形態では、基部２の外形（形状）は略矩形の形状に形成するよう構成したが、これに限定されず任意の形状に形成することができる。
【００９２】
具体的には、基部２の外形を構成する辺のうち、互いに対向する２組の辺が形成されるようにすればよい。そして１組の互いに対向する辺には第１の被覆フラップ３及び第２の被覆フラップ６が連接され、他の１組の互いに対向する辺には第３の被覆フラップ９及び第４の被覆フラップ１１が連接されるように構成すればよい。
【００９３】
ここで、基部２の形状の変形例について、図１８及び図１９を用いて説明する。
【００９４】
図１８は８角形の外形が形成された基部２７が適用された梱包材５０を示す図であり、図１９は８角形の外形が形成された基部２７が適用された梱包材５０の展開時の形状を示す展開図である。なお、各図面において同一の部材番号を示す部材は、他の図面における同一の部材番号を示す部材と、少なくとも同一の構成、作用及び効果を奏するものとする。
【００９５】
図１８及び図１９に示すように、基部２７の外形は８角形の形状に形成されている。そして、互いに対向する２組の辺として、第１の折り線２ａ及び第２の折り線２ｂと、第７の折り線２ｃ及び第８の折り線２ｄが形成されている。即ち、１組の互いに対向する辺として第１の折り線２ａ及び第２の折り線２ｂが、他の１組の互いに対向する辺として第７の折り線２ｃ及び第８の折り線２ｄがそれぞれ形成され、上記２組の辺を構成している。
【００９６】
また、図２０に示されるのは、８角形の外形が形成された基部２８が適用された梱包材６０の展開時の形状を示す展開図である。
【００９７】
図２０に示すように、１組の互いに対向する辺をそれぞれ第１の折り線２ａ及び第２の折り線２ｂとし、他の１組の互いに対向する辺をそれぞれ第７の折り線２ｃ及び第８の折り線２ｄとすれば、上記２組の辺は基部２８の外形を構成する辺のうち任意に選択することが可能である。
【００９８】
図２０に示すように、１組の互いに対向する辺とそれぞれ隣り合った辺を、他の１組の互いに対向する辺とするように構成しても良い。
【００９９】
なお、基部の形状として、８角形の他、１６角形、３２角形、６４角形等任意に選択することができる。
【０１００】
以上説明したように、本実施形態における梱包材１は、基部２と、基部２の１の辺を第１の折り線２ａとし、第１の折り線２ａから基部２の外側方向Ｘ３に連設され、第１の折り線２ａを介して基部２の内側方向Ｘ２に折りたたまれる第１の被覆フラップ３と、基部２の第１の折り線２ａと対向する辺を第２の折り線２ｂとし、第２の折り線２ｂから基部２の外側方向Ｘ３に連設され、第２の折り線２ｂを介して基部２の内側方向Ｘ２に折りたたまれる第２の被覆フラップ６と、第１の被覆フラップ３に設けられた挿入穴４と、第２の被覆フラップ６に設けられた挿入穴７にＭｉｃｒｏＳＤカード１００が挿入されることによって、ＭｉｃｒｏＳＤカード１００を包み込んで収納する梱包材１であって、第１の被覆フラップ３には、第１の被覆フラップ３の先端部を基部２の内側方向Ｘ２へ折りたたみ、ＭｉｃｒｏＳＤカード１００の脱落を防止する脱落防止部２０を形成するための第３の折り線３ａと、脱落防止部２０を基部２の内側方向Ｘ２へ折りたたむための第４の折り線３ｂと、第２のフラップ６には、第２の被覆フラップ６の先端部を基部２の内側方向Ｘ２へ折りたたみ、ＭｉｃｒｏＳＤカード１００の脱落を防止する脱落防止部２１を形成するための第５の折り線６ａと、脱落防止部２１を基部２の内側方向Ｘ２へ折りたたむための第６の折り線６ｂと、を備えるように構成したため、簡便な構成でＭｉｃｒｏＳＤカード１００の信頼性を維持することができる。
【０１０１】
また、第１の折り線２ａ及び第２の折り線２ｂ以外の第３の辺を第７の折り線２ｃとし、第７の折り線２ｃから基部２の外側方向に連設され、第７の折り線２ｃを介して基部２の内側に折りたたまれる第３の被覆フラップ９と、第７の折り線２ｃと対向する辺を第８の折り線２ｄとし、第８の折り線２ｄから基部２の外側方向Ｙ３に連設され、第８の折り線２ｄを介して基部２の内側方向Ｙ２に折りたたまれる第４の被覆フラップ１１と、を備え、第４の被覆フラップ１１の先端部に設けられた挿入部１２が、第３の被覆フラップ９に設けられた差込穴１０に挿入されることによって、ＭｉｃｒｏＳＤカード１００を包み込んで収納するように構成したため、さらに簡便な構成で、ＭｉｃｒｏＳＤカード１００の信頼性を維持することができる。
【０１０２】
また、第１の被覆フラップ３又は第２の被覆フラップ６の少なくとも何れか一方の先端部には、凹形状に切りかかれた切り欠き部５又は切り欠き部８が形成されるように構成したため、容易に梱包材１を組み立てることができ、さらに、ＭｉｃｒｏＳＤカード１００を容易に梱包材１に挿入することができ、作業時間の効率化を図ることが可能となる。
【０１０３】
また、第１の被覆フラップ３に設けられる挿入穴４は、第４の折り線３ｂを分断する位置に設けられ、第２の被覆フラップ６に設けられる挿入穴７は、第６の折り線６ｂを分断する位置に設けられるように構成したため、ＭｉｃｒｏＳＤカード１００を極めて容易に梱包材１に挿入することができ、作業時間の効率化を図ることが可能となる。
【０１０４】
また、梱包材１は、板状の部材によって形成されるように構成したため、梱包材の製造コストを抑えつつ、一の板状の部材という極めて簡便な構成で被梱包体の信頼性を維持することができる。
【符号の説明】
【０１０５】
１    梱包材
２    基部
２ａ  第１の折り線     
２ｂ  第２の折り線
２ｃ  第７の折り線
２ｄ  第８の折り線
３    第１の被覆フラップ
３ａ  第３の折り線
３ｂ  第４の折り線
４    挿入穴
５    切り欠き部
５ａ  凸部
５ｂ  凸部
６    第２の被覆フラップ
６ａ  第５の折り線
６ｂ  第６の折り線
７    挿入穴
８    切り欠き部
８ａ  凸部
８ｂ  凸部
９    第３の被覆フラップ
１０  差込穴
１１  第４の被覆フラップ
１２  挿入部
１３  第１の被覆フラップ３の先端部
１４  第１の被覆フラップ３の第３の折り線３ａと第４の折り線３ｂに囲まれた部分
１５  第２の被覆フラップ６の先端部
１６  第２の被覆フラップ６の第５の折り線６ａと第６の折り線６ｂに囲まれた部分
２０  脱落防止部
２１  脱落防止部
２５  基部
２６  基部
２７  基部
２８  基部
３０  梱包材
４０  梱包材
５０  梱包材
６０  梱包材
１００  ＭｉｃｒｏＳＤカード
【図１】
0005472629.tif 000002
【図２】
0005472629.tif 000003
【図３】
0005472629.tif 000004
【図４】
0005472629.tif 000005
【図５】
0005472629.tif 000006
【図６】
0005472629.tif 000007
【図７】
0005472629.tif 000008
【図８】
0005472629.tif 000009
【図９】
0005472629.tif 000010
【図１０】
0005472629.tif 000011
【図１１】
0005472629.tif 000012
【図１２】
0005472629.tif 000013
【図１３】
0005472629.tif 000014
【図１４】
0005472629.tif 000015
【図１５】
0005472629.tif 000016
【図１６】
0005472629.tif 000017
【図１７】
0005472629.tif 000018
【図１８】
0005472629.tif 000019
【図１９】
0005472629.tif 000020
【図２０】
0005472629.tif 000021